(57)【要約】【課題】前後双方向で履くことのできるスリッパを提供する。【解決手段】回転軸１６の回転によって内部通路２０が傾斜することにより、チェックボール１８が浮力又は沈降力により、いずれか一方のチェックボール定着部２４に密着されて、内部通路２０から第１の連結部２６又は第２の連結部２８のうちいずれか一方の流体の流れを制限し、本体１１０の上面で第１の流体ケーシング１２又は第２の流体ケーシング１４を加圧することにより、第１の流体ケーシング１２又は第２の流体ケーシング１４のいずれか一方が膨脹してスリッパ１００の本体１１０の高さを調節できる。【選択図】図１
2016209562.tif 000002
【特許請求の範囲】
【請求項１】
前方部分及び後方部分に各々弾性力を有する第１の流体ケーシングと第２の流体ケーシングとが内蔵されたスリッパの本体と、
前記本体に前後方向に一定角度回動可能に支持されるスリッパの甲被体と、
前記本体から左右方向に支持されて、前後方向に前記甲被体と連動して回転可能であり、内部の前方及び後方の両側端部にチェックボール定着部が各々形成された内部通路を備える回転軸と、
前記回転軸の内部通路両側の前記チェックボール定着部と前記第１の流体ケーシング及び第２の流体ケーシングとを各々連結する第１の連結部及び第２の連結部と、
前記内部通路に内蔵され、前記回転軸の回転によって前記内部通路が傾斜することにより、沈降力によって低い位置の前記チェックボール定着部に密着されて、前記内部通路から第１の連結部又は第２の連結部のうちいずれか一方への流体の流れを制限するチェックボールとで構成され、
前記甲被体の回動角度に対応して前記回転軸が傾斜することにより、いずれか一方向のみへの流体流れが可能な状態で、前記本体の上面で第１の流体ケーシング又は第２の流体ケーシングを加圧することにより、第１の流体ケーシング又は第２の流体ケーシングのいずれか一方が膨脹すると共に他方が収縮されて、当該スリッパの前後方の高さ調節が可能であることを特徴とする双方向着用可能なスリッパ。
【請求項２】
前方部分及び後方部分に各々弾性力を有する第１の流体ケーシングと第２の流体ケーシングとが内蔵されたスリッパの本体と、
前記本体に前後方向に一定角度回動可能に支持されるスリッパの甲被体と、
前記本体から左右方向に支持されて、前後方向に前記甲被体と連動して回転可能であり、内部の前方及び後方の両側端部にチェックボール定着部が各々形成された内部通路を備える回転軸と、
前記回転軸の内部通路両側の前記チェックボール定着部と前記第１の流体ケーシング及び第２の流体ケーシングとを各々連結する第１の連結部及び第２の連結部と、
前記内部通路に内蔵され、前記回転軸の回転によって前記内部通路が傾斜することにより、浮力によって高い位置の前記チェックボール定着部に密着されて、前記内部通路から第１の連結部又は第２の連結部のうちいずれか一方への流体の流れを制限するチェックボールとで構成され、
前記甲被体の回動角度に対応して前記回転軸が傾斜することにより、いずれか一方向のみへの流体流れが可能な状態で、前記本体の上面で第１の流体ケーシング又は第２の流体ケーシングを加圧することにより、第１の流体ケーシング又は第２の流体ケーシングのいずれか一方が膨脹すると共に他方が収縮されて、当該スリッパの前後方の高さ調節が可能であることを特徴とする双方向着用可能なスリッパ。
【発明の詳細な説明】
【技術分野】
【０００１】
本発明は、双方向着用可能なスリッパに関し、更に詳細には流体の流れ方向を制御できる弁体を用いることにより、前後方に対する高さ調節が可能であり、双方向で履くことのできるスリッパに関する。
【背景技術】
【０００２】
一般にスリッパは、簡単な構造を有しているが、前後方向が決まっている。従って、例えば室内に入りながらスリッパを脱いだ状態で、出て行く際にこれを履くためには、方向が変わらなければならない。スリッパは室内で使用される場合も多いが、例えば室内のお手洗いで使用される場合もある。お手洗いを出ながらそのままの向きで脱いでおいたスリッパを、お手洗いに入りながら更に履く際には、方向を変えなければならないので、極めて不便である。
【０００３】
このような使用上の不便を解消するために、双方向で使用できる種々の形態のスリッパが提案されている。この提案は、単にスリッパの甲被体の方向を変える程度にすぎない。スリッパにおいて前後方向に対応して底面の高さが決まっているが、一般に前方は高さが低いのに対して、後方は高さが高く設計されている。スリッパの前後方向を変えても履けるようにするためには、前方部分の高さと後方部分の高さとが最も大きい問題となる。例えば、スリッパの甲被体の方向を変換することは様々な形で可能であるが、スリッパ自体の前後方向の高さを変更することは容易でなく、これに対する具体的且つ現実化可能な提案はなされていない。
【発明の概要】
【発明が解決しようとする課題】
【０００４】
このようにスリッパの方向を変えて履けるようにするためには、スリッパの甲被体の方向を変えられると共に、スリッパの前後方向の高低調節も並行されなければならない。
【０００５】
本発明の目的は、前後方向の高低を調節でき、前後方向切換えが可能であって、実質的に双方向に着用可能なスリッパを提供することである。
【課題を解決するための手段】
【０００６】
本発明の双方向着用可能なスリッパは、前方部分及び後方部分に各々弾性力を有する第１の流体ケーシングと第２の流体ケーシングとが内蔵されたスリッパの本体と、前記本体に前後方向に一定角度回動可能に支持されるスリッパの甲被体と、前記本体から左右方向に支持されて、前後方向に前記甲被体と連動して回転可能であり、内部の前方及び後方の両側端部にチェックボール定着部が各々形成された内部通路を備える回転軸と、前記回転軸の内部通路両側の前記チェックボール定着部と前記第１の流体ケーシング及び第２の流体ケーシングとを各々連結する第１の連結部及び第２の連結部と、前記内部通路に内蔵され、前記回転軸の回転によって前記内部通路が傾斜することにより、沈降力によって低い位置の前記チェックボール定着部に密着されて、前記内部通路から第１の連結部又は第２の連結部のうちいずれか一方への流体の流れを制限するチェックボールとで構成され、前記甲被体の回動角度に対応して前記回転軸が傾斜することにより、いずれか一方向のみへの流体流れが可能な状態で、前記本体の上面で第１の流体ケーシング又は第２の流体ケーシングを加圧することにより、第１の流体ケーシング又は第２の流体ケーシングのいずれか一方が膨脹すると共に他方が収縮されて、当該スリッパの前後方の高さ調節が可能であることを特徴とする。
【０００７】
また、本発明の双方向着用可能なスリッパは、前方部分及び後方部分に各々弾性力を有する第１の流体ケーシングと第２の流体ケーシングとが内蔵されたスリッパの本体と、前記本体に前後方向に一定角度回動可能に支持されるスリッパの甲被体と、前記本体から左右方向に支持されて、前後方向に前記甲被体と連動して回転可能であり、内部の前方及び後方の両側端部にチェックボール定着部が各々形成された内部通路を備える回転軸と、前記回転軸の内部通路両側の前記チェックボール定着部と前記第１の流体ケーシング及び第２の流体ケーシングとを各々連結する第１の連結部及び第２の連結部と、前記内部通路に内蔵され、前記回転軸の回転によって前記内部通路が傾斜することにより、浮力によって高い位置の前記チェックボール定着部に密着されて、前記内部通路から第１の連結部又は第２の連結部のうちいずれか一方への流体の流れを制限するチェックボールとで構成され、前記甲被体の回動角度に対応して前記回転軸が傾斜することにより、いずれか一方向のみへの流体流れが可能な状態で、前記本体の上面で第１の流体ケーシング又は第２の流体ケーシングを加圧することにより、第１の流体ケーシング又は第２の流体ケーシングのいずれか一方が膨脹すると共に他方が収縮されて、当該スリッパの前後方の高さ調節が可能であることを特徴とする。
【発明の効果】
【０００８】
本発明に係るスリッパは、甲被体の動きによって中心回転軸が一定角度回転し、これによりスリッパの本体の内部に入っている流体がいずれか一方向にのみ移動可能になる。従って、甲被体の角度変化及びこれを介して本体の前後方の高低を調節することが可能となり、スリッパの方向の切換えが可能となる。従って、例えば室内でスリッパを着用する場合、脱いでおいた反対方向でも履くことが可能となり、実質的にスリッパの双方向着用が可能になる等、極めて利便性に優れている。
【図面の簡単な説明】
【０００９】
【図１】本発明のスリッパの構成例を示す図である。
【図２】本発明のスリッパに内蔵された弁体内部の回転角度に対応する流体の流れ方向の例を示す図である。
【図３】本発明に係る弁体の平面図である。
【図４】本発明の他の実施形態のスリッパの構成例を示す図である。
【発明を実施するための形態】
【００１０】
以下、図面に示した実施形態に基づき、本発明による双方向着用可能なスリッパの好適な実施の形態を説明する。図１は本発明のスリッパ１００と内蔵された弁体１０の例を示し、弁体１０まわりの拡大図及びスリッパ１００の全体概略図が併記されている。図２及び図３は本発明の弁体自体を示したものである。弁体１０は、回転軸１６の回転角度によって、回転軸１６の内部に形成されている内部通路２０を通過して流れることができる流体の方向が決定されるように設計されている。なお、図１においてスリッパ１００の前方を矢印Ｆにより、後方を矢印Ｒによりそれぞれ示す。
【００１１】
回転軸１６は、内部に内部通路２０を有しており、この内部通路２０は回転軸１６の回転によって図１のように左側に傾斜し、又は逆に右側に傾斜する状態となる。回転軸１６の内部通路２０にはチェックボール１８が入っており、チェックボール１８は、沈降力又は浮力により移動することにより、内部通路２０で流体の流れ方向を決定する。ここで、回転軸１６は、本体１１０の内部から左右方向（図１の紙面と直交方向）に設けられており、回転軸１６の傾斜は前後方向に対してなされる。
【００１２】
内部通路２０は、外部の第１の流体ケーシング１２及び第２の流体ケーシング１４と連通されている。従って、第１の流体ケーシング１２と第２の流体ケーシング１４とは、内部通路２０を介していずれか一側から他側に流体を供給できるように構成される。具体的には第１の流体ケーシング１２は、第１の連結部２６を介して内部通路２０と連通されており、第２の流体ケーシング１４は第２の連結部２８を介して内部通路２０と連通されている。
【００１３】
ここで、第１の流体ケーシング１２及び第２の流体ケーシング１４は、伸縮性のある材質で成形され、第１の連結部２６及び第２の連結部２８も柔軟性及び伸縮性を有する材質で成形される。第１の流体ケーシング１２及び第２の流体ケーシング１４は、弾性復元力を有していることが更に好ましい。第１の連結部２６及び第２の連結部２８は例えば、ゴム又は合成樹脂材等で成形可能であり、ベローズのような皺管形状に形成することも可能である。即ち、第１の連結部２６及び第２の連結部２８は、回転軸１６の一定の角度範囲の回転を吸収できる十分な余裕長さ又は伸縮性を有している。
【００１４】
内部通路２０の両側端部に成形された第１の連結部２６及び第２の連結部２８を介して、内部通路２０と第１の流体ケーシング１２及び第２の流体ケーシング１４との間で流体が出入するが、第１の連結部２６及び第２の連結部２８に隣接した内部通路２０の内側にはそれぞれチェックボール定着部２４（２４ａ，２４ｂ）が各々成形されている。これらのチェックボール定着部２４（２４ａ，２４ｂ）は、チェックボール１８が密着し得る形状に成形され、例えば半球形の窪んだ部分又は部分的な窪んだ球形に成形される。チェックボール定着部２４は、前方に成形された第１のチェックボール定着部２４ａと、後方に成形された第２のチェックボール定着部２４ｂを含んで構成される。
【００１５】
チェックボール１８は、定着部２４に定着された場合にのみ、一方向に流体の流れを規制し、内部通路２０の中間部分２２では流体の流れを規制できない。即ち、図２（ａ）及び図３に示したように内部通路２０の中間部分２２は、チェックボール１８の直径よりも大きい直径又は断面を有しているので、チェックボール１８が中間部分２２にある場合には、流体流れの制御は不可能である。図３は、チェックボール１８が内部通路２０の中間部分２２に位置した状態を示す平面図である。図２及び図３から分かるように内部通路２０の中間部分２２は、最大幅及び最大高さを有しており、チェックボール１８が流体の流れを防ぐことができない形状を有している。
【００１６】
次に、上記構成でなる弁体１０がスリッパ１００に適用されることで、スリッパ１００の前後方向の高さ調節が可能になる。図１に示したようにスリッパ１００は、ユーザの足が載せられる本体１１０と、本体１１０の中間部分で左右両端部が支持されて、前後方向に回動可能な甲被体１２０とで構成される。そして、第１の流体ケーシング１２は、スリッパ１００の本体１１０の前方内部に設けられ、第２の流体ケーシング１４は、スリッパ１００の本体１１０の後方内部に設けられる。また、第１の流体ケーシング１２と第２の流体ケーシング１４との間には、回転軸１６がスリッパ１００の本体１１０の内部に設けられる。この場合、回転軸１６はスリッパ１００の甲被体１２０と連動するように、即ち例えば甲被体１２０の支持軸１１２と連動するように設けられる。従って、例えば図１において実線で示したように甲被体１２０が前方に一定角度回動すると、弁体１０の回転軸１６も甲被体１２０に連動して反時計方向に同一の回転角度で回転する。
【００１７】
回転軸１６が、図１に示したように前方に一定角度回転して傾斜した状態では、内部通路２０の前方部分が低い状態になるので、チェックボール１８は沈降力によって沈み、第１の連結部２６と近接した第１のチェックボール定着部２４ａに定着される。この状態になることでチェックボール１８が第１の連結部２６を塞ぎ、内部通路２０から第１の連結部２６に流体が流れることが抑止される。即ち、この状態では第２の流体ケーシング１４から第１の流体ケーシング１２に流体が流れることが規制される。
【００１８】
一方、上記とは反対に、第１の流体ケーシング１２から第１の連結部２６を経て内部通路２０の内部に流体が流入すれば、チェックボール１８はこれを抑止できない。従って、第１の流体ケーシング１２の流体は内部通路２０を介して、第２の流体ケーシング１４に流入することができる。即ち、甲被体１２０が図１で実線により示したように前方に一定角度回動した状態で、スリッパ１００の本体１１０の前方に入っている第１の流体ケーシング１２から、スリッパ１００の本体１１０の後方に入っている第１の流体ケーシング１２に流体の移動が可能になる。
【００１９】
即ち、ユーザがスリッパ１００の前方を前にして着用すると、甲被体１２０は、図１において実線で示したように左側に一定角度傾くようになる。そして、この状態でチェックボール１８が前方の第１のチェックボール定着部２４ａに密着された状態であるため、第１の流体ケーシング１２から第２の流体ケーシング１４への流体の移動は可能な状態であるが、第２の流体ケーシング１４から第１の流体ケーシング１２への流体の移動は不可能な状態である。
【００２０】
人の足甲構造は、足指の方、即ち前方が低く、足首の方、即ち後方は高いので、人がスリッパを履くと同時に甲被体１２０はユーザの甲によって前方に向かうように（図１において実線で示した状態）付勢される。第１の流体ケーシング１２から第２の流体ケーシング１４にのみ流体の移動可能になる。この状態でユーザがスリッパ１００の本体１１０の前方部分を足裏で押さえることにより、第１の流体ケーシング１２の流体は、第２の流体ケーシング１４に移動可能になる。この流体移動による第２の流体ケーシング１４に移動した流体によって、スリッパ１００の本体１１０の後方部分の高さが高くなり、一方、スリッパ１００の本体１１０の前方部分の高さは低くなる。
【００２１】
ここで、ユーザの足裏がスリッパ１００の本体１１０の前方部分を押さえる動作は、実質的に第１の流体ケーシング１２を押さえる動作と同じである。これは、スリッパを履く過程ばかりでなく、履いている過程でも同一動作となる。このようなユーザの動作によって、第１の流体ケーシング１２又は第２の流体ケーシング１４のいずれか一方が加圧されれば、内部通路２０を介した流体の移動によって、第１の流体ケーシング１２又は第２の流体ケーシング１４のうちいずれか一方が膨脹し、他方は収縮されてスリッパ１００の前方及び後方の高さ調節が可能となる。
【００２２】
具体的には、甲被体１２０が図１の（Ｂ）に示される直立した状態では、弁体１０は図２（ａ）に示した状態であり、これは、ユーザがスリッパ１００を履いていない中立状態である。また、図２（ｂ）に示した状態は、図１に示した場合とは反対の状態であって、つまりスリッパ１００の甲被体１２０が図１の（Ｃ）の状態となった場合に対応する。実際にこのような状態は、ユーザがスリッパ１００を前後逆に履いた場合、即ちスリッパ１００の後方を前にして履いた状態である。
【００２３】
この場合、甲被体１２０が図１の（Ｃ）に示した状態になりながら、回転軸１６は、図１において時計方向に一定の角度範囲で回転して図２（ｂ）に示した状態となる。この状態では、チェックボール１８が沈降して第２の連結部２８と隣接した後方の第２のチェックボール定着部２４ｂに密着された状態となる。この状態では、第２の流体ケーシング１４から第１の流体ケーシング１２への流体の移動は可能であるが、その反対方向の流体の流れは規制される。
【００２４】
上記の動作例は、実際ユーザがスリッパ１００を逆方向に履いた状態であり、これにより甲被体１２０が後方側に傾くようになる（図１の（Ｃ）の状態）。この状態では、スリッパ１００の本体１１０の内部で第２の流体ケーシング１４から第１の流体ケーシング１２への流体の移動が可能であることは上述した通りである。ユーザが足裏で第２の流体ケーシング１４を押さえる力によって第２の流体ケーシング１４から、前方部分にある第１の流体ケーシング１２に流体が流れ込んで本体１１０の前方部分が高くなる。
【００２５】
上記実施形態では、チェックボール１８が沈降力を有する場合の例を説明した。この場合には、実質的にチェックボール１８が流体よりも比重の重い金属製等で成形され、流体は気体又は液体で構成される。
【００２６】
次に、本発明の第２の実施形態を説明する。なお、上述の第１の実施形態と同一又は対応する部材には同一符号を用いる。第２の実施形態において、特にチェックボール１８が浮力を有する材質、即ち流体よりも比重の軽い材質により成形されるものである。図４は実質的に図１と同様なスリッパ１００の状態であって、ユーザが前方を前にしてスリッパ１００を着用した状態である。この状態でチェックボール１８は浮力を有するので、上方に浮き上がり、後方の第２のチェックボール定着部２４ｂに密着されることにより、第２の連結部２８を塞ぐこととなる。
【００２７】
このような状態では内部通路２０で第２の連結部２８を介して流体が抜け出ることが抑止される。一方、この状態では流体が第２の連結部２８を介して内部通路２０の内側に流入することは可能である。本実施形態において、第２の連結部２８は第１の流体ケーシング１２と連結されており、第１の流体連結部２６は第２の流体ケーシング１４と連結され、この点で第１実施形態と異なる。
つまり第２の実施形態では、チェックボール１８が流体に対して浮力を有することで成形されるという点と、第１の連結部２６及び第２の連結部２８が各々異なる流体ケーシング１４，１２と連結される点が相違する。弁体１０の基本的動作は、第１の実施形態の場合と実質的に同様である。
【００２８】
以上の説明のように本発明は、弁体１０がスリッパに適用されて、スリッパ１００の甲被体１２０の回動方向に対応して流体の流れ方向を制御できるように構成されている。このような弁体１０が適用されるスリッパ１００は双方向に履けるように、本体１１０の前方又は後方の高さ調節が可能となる。
【００２９】
本発明の弁体１０は、回転軸１６が他の構造物や部品において回動可能に装着可能であり、かかる回転軸１６の回転角度によって流体の流れ方向を制御する部分であれば、いかなる分野にも適用可能である。
また、以上で説明した本発明の基本的な技術的思想の範疇内で当業界の通常の技術者にとっては、他の様々な変形が可能であることはもちろん、本発明の保護範囲は、特許請求の範囲に基づいて判断されるべきである。
【符号の説明】
【００３０】
１０  弁体
１２  第１の流体ケーシング
１４  第２の流体ケーシング
１６  回転軸
１８  チェックボール
２０  内部通路
２２  中間部分
２４  チェックボール定着部
２６  第１の連結部
２８  第２の連結部
１００  スリッパ
１１０  本体
１１２  支持軸
１２０  甲被体
【図１】
2016209562.tif 000003
【図２】
2016209562.tif 000004
【図３】
2016209562.tif 000005
【図４】
2016209562.tif 000006